(57)【要約】      （修正有）【課題】山間部や里山等と人の居住区域や耕作区域等の境界部などの山あいに設置された獣の進入防止フェンスが倒木などによって損壊されないように作用するフェンスプロテクターを提供する。【解決手段】基礎鋼管２に結合して適宜間隔で立設された複数本の支柱列における各隣り合う２本を１組とする各組の支柱１に、フェンス体の左右側部を固定して各支柱間に夫々にフェンス体を取付けてなる進入防止フェンスにおいて、各支柱列の始端から終端までの各支柱に防護用の鋼索ＷＲが通って渡るように張架すると共に、各支柱間の鋼索をフェンスの上縁より上位に位置付けて各支柱の上端部に固定した。【選択図】図１
0003201125.tif 000002
【実用新案登録請求の範囲】
【請求項１】
適宜間隔で建てられた複数本の支柱列における各隣り合う２本を1組とする各組の支柱に、フェンス体の左右側部を固定して各支柱間に夫々にフェンス体を取付けてなる進入防止フェンスにおいて、防護用の鋼索を、前記各支柱列における始端の支柱上端部から終端の支柱上端部に渡るように張架すると共に、各支柱間の鋼索を、各フェンス体の上縁より上位に位置付けて各支柱の上端部に固定したことを特徴とするフェンスプロテクター。
【請求項２】
各支柱間にある鋼索とその間のフェンス体の上縁とを、その鋼索の長さ方向の少なくとも１箇所において、クランプ等の結合金具で結束した請求項１に記載のフェンスプロテクター。
【請求項３】
フェンス体は、細い鋼棒を網目状に溶接した溶接フェンス、針金を編成したネット状フェンス、鋼板をパンチプレスで網目状に抜いたパンチングメダルフェンス、エキスパンドメタルフェンスのいずれかのフェンス体である請求項１又は２に記載のフェンスプロテクター。
【考案の詳細な説明】
【技術分野】
【０００１】
本考案は、山間部や里山等から人の居住地域や農作物の耕作場所などへ鹿や猪等の獣が進入して来るのを防ぐために設置される侵入防止フェンスを、倒木や積雪などの外力から護るためのフェンスプロテクターに関する。
【背景技術】
【０００２】
山間部や里山等においては人が生活をする居住地域や耕作区域にまで猪や鹿などの獣が侵入してきて農作物を荒らしたり人を襲ったりする等の問題を起こすことがあるため、山あいと居住区域や耕作地域の境界等に前記獣の侵入防止フェンスを設置することがある。
【０００３】
前記のような獣の進入防止フェンスが設置される界隈は、山あいであることもあって降雪量の多い地域や場所が多いが、設置されたフェンスが積雪等によって倒れる倒木の打撃を受けて損壊することが問題となっている。
また、前記フェンスは倒木だけではなく根雪となるような積雪による雪圧に耐え切れず変形したり、損壊してしまうことも知られている。
【０００４】
上記の倒木によるフェンスの損壊や積雪によるフェンスの変形、損壊に対しては有効な手立てはなく、損壊や変形のつどフェンスを取替えているのが現状である。因みに、フェンスに係る特許文献１〜３などに開示された落石防護柵では倒木や積雪によるフェンス損壊を防ぐことはできない。
【０００５】
しかるに、現場が市街地から離れた山あい部であると、損壊したフェンスの発見が遅れたりその取替えもままならず、この結果、獣等の進入防止という所期の目的を達成できないという問題になっている。
【先行技術文献】
【特許文献】
【０００６】
【特許文献１】特許第４８７４９２５号公報
【特許文献２】特開２０１４−１５２３号公報
【特許文献３】特許４８７９８１９号公報
【考案の概要】
【考案が解決しようとする課題】
【０００７】
本考案は、山間部や里山等と人の居住区域や耕作区域等の境界部などの山あいに設置された獣の進入防止フェンスが倒木などによって損壊されないように作用するフェンスプロテクターを提供することを、課題とする。
【課題を解決するための手段】
【０００８】
上記課題を解決することを目的としてなされた本考案フェンスプロテクターの構成は、適宜間隔で建てられた複数本の支柱列における各隣り合う２本を1組とする各組の支柱に、フェンス体の左右側部を固定して各支柱間に夫々にフェンス体を取付けてなる進入防止フェンスにおいて、前記各支柱列の始端から終端までの各支柱に防護用の鋼索が通って渡るように張架すると共に、各支柱間の鋼索を前記フェンスの上縁より上位に位置付けて各支柱の上端部に固定したことを特徴とする。
【０００９】
本考案では、各支柱間にある鋼索とその間のフェンス体の上縁とを、その鋼索の長さ方向も少なくとも１箇所において、クランプ等の結合金具で結束したことを特徴とする。
【００１０】
本考案を適用する進入防止フェンスには、細い鋼棒を網目状に溶接した溶接フェンスをはじめ、針金を編成したネット状フェンスや鋼板をパンチプレスで網目状に抜いたパンチングメダルフェンスやエキスパンドメタルフェンスなどのフェンスが含まれるものとする。
【考案の効果】
【００１１】
本考案は、複数本の支柱列に支持させて設置した進入防止フェンスにおいて、前記支柱列の始端から終端迄の各支柱に防護用の鋼索が通って渡るように張架すると共に、各支柱間の鋼索を前記フェンスの上縁より上位に位置付けて各支柱の上端部に固定することにより、倒木等を前記張架鋼索で受け止め倒木等によって前記フェンスが損壊されるのを防ぐフェンスプロテクターに形成したから、前記フェンスが倒木等に遭っても、そのフェンスの損壊を未然に防ぐことができる。
【図面の簡単な説明】
【００１２】
【図１】本考案フェンスプロテクターを設けた進入防止フェンスの主要部の正面図。
【図２】図１のフェンスプロテクターを設けたフェンスの平面図。
【図３】図１のフェンスプロテクターを設けたフェンスの右側面図。
【考案を実施するための形態】
【００１３】
次に、本考案の実施の形態例について、図を参照して説明する。
図１〜図３において、１は、この実施例では約２５００ｍｍ芯々間の間隔で地表Ｇに立設されたフェンス用の支柱であり、核支柱１には鋼管等のパイプ材が用いられるが、パイプ材以外、例えば型鋼等による支柱１もある。
【００１４】
各支柱１は、地中に埋設された基礎、ここでは基礎鋼管２に核支柱の下端部を結合して立設されている。支柱１を立設する基礎には、前記鋼管２の他、コンクリート製の基礎もある。
【００１５】
３，３１は、上記支柱に対し取付けられて進入防止フェンスＧＦを形成する溶接金網（本考案ではフェンス体ともいう）で、図の例では左右幅が約２７００ｍｍ、高さが約１１００ｍｍの外形を有する金網３，３１の２枚を、２本の支柱１，１にＵボルト等の取付金具４により取付けている。
【００１６】
上記金網３，３１はその両端部の縦線材のピッチが、中間部の縦線材のピッチより小さく形成されたタイプの金網であるが、本考案に用いる金網は、上記は一例であって、上記金網以外の金網を用いることができる。上下の金網３と３１はその接合部をクランプ等の連結金具３ａにより結束されている。
【００１７】
上記金網（フェンス体）３，３１により形成されたフェンスＧＦは、図示した例では下位の金網３１の下端部前方（又は後方）の地表Ｇに、図２に示すようにグランド金網３２が張設されている。グランド金網３２の先端部は、等ピッチでアンカー材３３により地表Ｇに止められており、上記支柱１からアンカー材３３までの構成により、本考案プロテクターを適用する進入防止フェンスＧＦの一例を形成する。
【００１８】
本考案フェンスプロテクターは次の構成を備えたものである。
図において、１１は各支柱１の上端にネジ式や溶着などの結合手段により装着したキャップ体で、このキャップ体１１には、バンド状乃至帯状、又は埋め込みや溶接等の形態で当該キャップ体１１に結合され、後述するワイヤロープＷＲを通して保持できるように形成されたロープ止金具１２が設けられている。
【００１９】
前記フェンスＧＦにおける各支柱１が備えた各ロープ止金具１２には、前記支柱１の始端側から終端側の支柱１に向けて張架されるワイヤロープＷＲが夫々に通され、各支柱１の止金具１２において当該止金具１２に保持されることにより、前記ワイヤロープＷＲはフェンスＧＦの全長に亘り各支柱１に夫々に強固に結合される。
【００２０】
各支柱１において通過部分が各止金具１２に強固に結束された前記ロープＷＲの始端側と終端側は、夫々に、フェンスＧＦの一端側と他端側の支柱１，１に固定するか、又は、それらの支柱近傍やその他の場所に別設したアンカー部材（図示せず）に固定される。
図示した例では、フェンスＧＦにおいて、２本の支柱１，１の間に位置したワイヤロープＷＲは、先に述べた連結金具３ａと同様の複数の結合金具１３によって金網３の上端にある横線材に結合されている。
【００２１】
本考案プロテクターでは、ワイヤロープＷＲと金網３の上端縁を結合しない形態のものである。この場合には、例えば、キャップ体１１を長めに形成してロープ止金具１２の位置を金網３の上端縁から図１の場合より大きく離間させることが好ましい。
【００２２】
上記のように、設置された進入防止フェンスＧＦ金網３の上方に、各支柱１によって固定されたワイヤロープＷＲを当該フェンスＧＦの全長に亘つて設けることにより、フェンスプロテクターとしたから、仮に、このフェンスＧＦに上方から倒木が倒れ込んで来ても、その荷重はワイヤロープＷＲが支持，吸収するから、従来のようにフェンス自体が傷んでしまうことはない。
【００２３】
またワイヤロープＷＲと金網３の上端縁を結合金具１３で結合したタイプのフェンスプロテクターでは、倒木による荷重のほか、積雪による荷重もワイヤロープが支えることとなって積雪によるフェンスの変形に対する抑止効果もある。
【産業上の利用可能性】
【００２４】
本考案は以上の通りであって、山あいと居住区域や耕作地等との境界部等に設けられる獣の進入防止フェンスの倒木や積雪等による損壊，変形を防ぐことができるから、きわめて有用である。
【符号の説明】
【００２５】
１  フェンスの支柱
２  基礎鋼管
３，３１  上，下の全網（上下のフェンス体）
３ａ  連結全具
３２  グランド全網
３３  アンカー部材
ＷＲ  ワイヤロープ（鋼索）
１１  キャップ体
１２  ロープ止全具
１３  結合全具
【図１】
0003201125.tif 000003
【図２】
0003201125.tif 000004
【図３】
0003201125.tif 000005